(57)【要約】【課題】入手した画像データを有効活用することが可能な通信端末装置、画像情報表示方法、画像情報記憶方法および情報記憶媒体を提供することにある。【解決手段】制御部７は、着信の際に送信されてくる発呼者番号を検出すると、電話／電子メールメモリを検索し、発呼者番号と同じ電話番号が登録されているか否かを判断する。制御部７は、登録されていないと判断すると、受信した発呼者番号を表示するが（図４（Ａ）参照）、登録されていれば、発呼者番号に対応する画像データが登録されているか否かを判断する。この場合、制御部７は表示フラグがＯＮとなっている画像データ３を選択し、受信した発呼者番号に替えて画像データ３を表示部９に表示する（図４（Ｂ）参照）。なお、制御部７は、画像データが登録されていないと判断すると、電話／電子メールメモリを検索し、登録されている名前を表示する（図４（Ｃ）参照）。【選択図】図４
2004015815.tif 000002
【特許請求の範囲】
【請求項１】
複数の電話番号を電話帳データメモリに記憶し、複数の画像データを画像データメモリに記憶し及び複数の着信メロディデータを着信メロディデータメモリに記憶するとともに、着信の際に受信した発呼者番号と前記複数の電話番号中の第１電話番号とが一致した場合、前記第１電話番号に対応する第１画像データを読み出して表示し及び第１着信メロディを発生させる通信端末装置において、
第２着信メロディデータと一緒に送信されてきた第２画像データを受信して、前記第２画像データを前記画像データメモリに記憶させる制御及び前記画像データメモリに記憶した複数の画像データを用いて着信の際の表示を制御する制御部を具備し、
前記制御部は、前記第２着信メロディデータと一緒に前記第２画像データを記憶させるとともに、記憶した前記第２画像データを前記第１電話番号に対して表示選択した後、前記第１電話番号からの着信の際に前記画像データメモリから前記第２画像データを読み出して表示する場合、前記第２着信メロディデータに基づいて着信メロディを発生させること、
を特徴とする通信端末装置。
【請求項２】
請求項１に記載の通信端末装置において、
前記制御部は、前記第２着信メロディデータと一緒に前記第２画像データを記憶させるとともに、記憶した前記第２画像データを前記第１電話番号に対して表示選択した場合、選択されていた前記第１着信メロディを消去することなく前記着信メロディデータメモリに記憶し続ける一方、前記第１電話番号からの着信の際に前記画像データメモリから前記第２画像データを読み出して表示する場合、前記第１着信メロディを発生させることなく、前記第２着信メロディデータに基づいて着信メロディを発生させること、
を特徴とする通信端末装置。
【請求項３】
請求項１又は請求項２に記載の通信端末装置において、
前記制御部は、前記第１電話番号からの着信の際に前記画像データメモリから前記第２画像データを読み出して表示する場合、前記第２画像データと同時に下記（１）乃至（３）のいずれかを表示すること、
を特徴とする通信端末装置。
（１）着信の際に受信した発呼者番号に対応する電話番号、
（２）着信の際に受信した発呼者番号に対応する名前、
（３）着信の際に受信した発呼者番号に対応する電話番号および名前
【請求項４】
請求項１又は請求項２に記載の通信端末装置において、
前記制御部は、前記第１電話番号からの着信の際に前記画像データメモリから前記第２画像データを読み出して表示する場合、前記第２画像データと交互に下記（１）または（２）のいずれかを表示すること、
を特徴とする通信端末装置。
（１）着信の際に受信した発呼者番号に対応する電話番号、
（２）着信の際に受信した発呼者番号に対応する名前
【請求項５】
請求項１乃至請求項４のいずれかに記載の通信端末装置において、
前記第２画像データは、動画像データであること、
を特徴とする通信端末装置。
【請求項６】
複数の電話番号を電話帳データメモリに記憶し、複数の画像データを画像データメモリに記憶し及び複数の着信メロディデータを着信メロディデータメモリに記憶するとともに、着信の際に受信した発呼者番号と前記複数の電話番号中の第１電話番号とが一致した場合、前記第１電話番号に対応する第１画像データを読み出して表示し及び第１着信メロディを発生させる通信端末装置の着信報知方法において、
第２着信メロディデータと一緒に送信されてきた第２画像データを受信して、前記第２画像データを前記画像データメモリに記憶させる制御及び前記画像データメモリに記憶した複数の画像データを用いて着信の際の表示を制御する制御ステップを含み、
前記制御ステップは、前記第２着信メロディデータと一緒に前記第２画像データを記憶させるとともに、記憶した前記第２画像データを前記第１電話番号に対して表示選択した後、前記第１電話番号からの着信の際に前記画像データメモリから前記第２画像データを読み出して表示する場合、前記第２着信メロディデータに基づいて着信メロディを発生させること、
を特徴とする着信報知方法。
【請求項７】
請求項６に記載の着信報知方法において、
前記制御ステップは、前記第２着信メロディデータと一緒に前記第２画像データを記憶させるとともに、記憶した前記第２画像データを前記第１電話番号に対して表示選択した場合、選択されていた前記第１着信メロディを消去することなく前記着信メロディデータメモリに記憶し続ける一方、前記第１電話番号からの着信の際に前記画像データメモリから前記第２画像データを読み出して表示する場合、前記第１着信メロディを発生させることなく、前記第２着信メロディデータに基づいて着信メロディを発生させること、
を特徴とする着信報知方法。
【請求項８】
通信端末装置に着信報知処理手順を実行させるプログラムを記録した情報記憶媒体であって、
前記通信端末装置は、複数の電話番号を電話帳データメモリに記憶し、複数の画像データを画像データメモリに記憶し及び複数の着信メロディデータを着信メロディデータメモリに記憶するとともに、着信の際に受信した発呼者番号と前記複数の電話番号中の第１電話番号とが一致した場合、前記第１電話番号に対応する第１画像データを読み出して表示し及び第１着信メロディを発生させ、
前記着信報知処理手順は、
第２着信メロディデータと一緒に送信されてきた第２画像データを受信して、前記第２画像データを前記画像データメモリに記憶させる制御及び前記画像データメモリに記憶した複数の画像データを用いて着信の際の表示を制御する制御手順を含み、
前記制御手順は、前記第２着信メロディデータと一緒に前記第２画像データを記憶させるとともに、記憶した前記第２画像データを前記第１電話番号に対して表示選択した後、前記第１電話番号からの着信の際に前記画像データメモリから前記第２画像データを読み出して表示する場合、前記第２着信メロディデータに基づいて着信メロディを発生させること、
を特徴とする情報記憶媒体。
【請求項９】
請求項８に記載の情報記憶媒体において、
前記制御手順は、前記第２着信メロディデータと一緒に前記第２画像データを記憶させるとともに、記憶した前記第２画像データを前記第１電話番号に対して表示選択した場合、選択されていた前記第１着信メロディを消去することなく前記着信メロディデータメモリに記憶し続ける一方、前記第１電話番号からの着信の際に前記画像データメモリから前記第２画像データを読み出して表示する場合、前記第１着信メロディを発生させることなく、前記第２着信メロディデータに基づいて着信メロディを発生させること、
を特徴とする情報記憶媒体。
【発明の詳細な説明】
【技術分野】
【０００１】
本発明は、通信端末装置および着信報知方法に係り、更に詳しくは、電話帳データメモリに記憶する複数の電話番号に対応付けて、複数の画像データを画像データメモリに記憶し及び複数の着信メロディデータを着信メロディデータメモリに記憶するとともに、着信の際に受信した発呼者番号と前記複数の電話番号中の第１電話番号とが一致した場合、前記第１電話番号に対応する第１画像データを読み出して表示し及び第１着信メロディを発生させる通信端末装置および着信報知方法に関する。
【０００２】
　また、本発明は、それらの処理手順を実行させるプログラムを半導体メモリー、ＬＤ（レーザーディスク）、ＨＤ（ハードディスク）、ＦＤ（フレキシブルディスク）、ＭＤ（ミニディスク）、ＣＤ（コンパクトディスク）又はＤＶＤ（デジタルビデオディスク）などに記録した情報記憶媒体に関する。
【背景技術】
【０００３】
　近年、通信端末装置の技術発展は目覚しく、特に携帯電話機では基本機能である通話機能に加え、テキストデータや画像データを送受信する電子メール機能やＮＴＴドコモのｉモードに代表される様にインターネット接続機能を具備する端末装置を各通信事業者が競って商品化している。
【０００４】
　また、最新の携帯電話機は、例えばデジタル・スチル・カメラ（以下、「ＤＳＣ」という）などで取り込んだり、通話相手が送信した写真などの画像データを高精細かつカラーで表示するものも登場しており、新たなコミュニケーション手段を提供する必須機能となりつつある。なお、インターネットに接続して、画像データを含む電子メールを送受信する従来の携帯電話機は、特開平１０−３１３３３８、特開平１１−９８２４８、特開平１１−１１２５５４および特開２０００−３２１４２などに開示されている。
【０００５】
　なお、本願の原出願である特願２０００−１２３３０２（特許３３９６７１８号）の審査段階で、通信端末装置において、受信した発呼者番号に対応する画像情報を読み出して表示する点は、本願出願前に周知であるとの指摘により、以下の特許文献が引用された。
【特許文献１】特開平１０−３２７２３３号公報、特開平０８−２４２３０７号公報、特開平０５−３０１７６号公報、特開平１０−１０７８８９号公報および特開平０９−８３６３０号公報
【０００６】
　また、その分割出願である特願２００２−３３００６０の審査段階で、通信端末装置において、電話番号に対応した画像を登録する技術につき、画像情報を任意に変更（追加・削除）できる点などについて、以下の特許文献が引用された。
【特許文献２】特特開平１１−０４１３３９号公報、特開平１０−３２７２３２号公報、特開平１０−３２７２３３号公報、特開平０６−１７８００５号公報、特開平０８−００９４３６号公報、特開平０５−０３０１７６号公報及び特開平１１−２９８６５６号公報
【発明の開示】
【発明が解決しようとする課題】
【０００７】
　しかしながら、これらの携帯電話機は、画像データを送受信し、入手した画像データを単に表示しているに過ぎない。
【課題を解決するための手段】
【０００８】
　請求項１に係る本発明の通信端末装置は、上記の目的を達成するために、複数の電話番号を電話帳データメモリに記憶し、複数の画像データを画像データメモリに記憶し及び複数の着信メロディデータを着信メロディデータメモリに記憶するとともに、着信の際に受信した発呼者番号と前記複数の電話番号中の第１電話番号とが一致した場合、前記第１電話番号に対応する第１画像データを読み出して表示し及び第１着信メロディを発生させる通信端末装置において、第２着信メロディデータと一緒に送信されてきた第２画像データを受信して、前記第２画像データを前記画像データメモリに記憶させる制御及び前記画像データメモリに記憶した複数の画像データを用いて着信の際の表示を制御する制御部を具備し、前記制御部は、前記第２着信メロディデータと一緒に前記第２画像データを記憶させるとともに、記憶した前記第２画像データを前記第１電話番号に対して表示選択した後、前記第１電話番号からの着信の際に前記画像データメモリから前記第２画像データを読み出して表示する場合、前記第２着信メロディデータに基づいて着信メロディを発生させることを特徴とする。
【０００９】
　請求項１に係る本発明の通信端末装置は、請求項１に記載の通信端末装置において、前記制御部は、前記第２着信メロディデータと一緒に前記第２画像データを記憶させるとともに、記憶した前記第２画像データを前記第１電話番号に対して表示選択した場合、選択されていた前記第１着信メロディを消去することなく前記着信メロディデータメモリに記憶し続ける一方、前記第１電話番号からの着信の際に前記画像データメモリから前記第２画像データを読み出して表示する場合、前記第１着信メロディを発生させることなく、前記第２着信メロディデータに基づいて着信メロディを発生させることを特徴とする。
【００１０】
　請求項３に係る本発明の通信端末装置は、請求項１又は請求項２に記載の通信端末装置において、前記制御部は、前記第１電話番号からの着信の際に前記画像データメモリから前記第２画像データを読み出して表示する場合、前記第２画像データと同時に下記（１）乃至（３）のいずれかを表示することを特徴とする。
（１）着信の際に受信した発呼者番号に対応する電話番号、
（２）着信の際に受信した発呼者番号に対応する名前、
（３）着信の際に受信した発呼者番号に対応する電話番号および名前
　請求項４に係る本発明の通信端末装置は、請求項１又は請求項２に記載の通信端末装置において、前記制御部は、前記第１電話番号からの着信の際に前記画像データメモリから前記第２画像データを読み出して表示する場合、前記第２画像データと交互に下記（１）または（２）のいずれかを表示することを特徴とする。
（１）着信の際に受信した発呼者番号に対応する電話番号、
（２）着信の際に受信した発呼者番号に対応する名前
　請求項５に係る本発明の通信端末装置は、請求項１乃至請求項４のいずれかに記載の通信端末装置において、前記第２画像データは、動画像データであることを特徴とする。
【００１１】
　請求項６に係る本発明の着信報知方法は、複数の電話番号を電話帳データメモリに記憶し、複数の画像データを画像データメモリに記憶し及び複数の着信メロディデータを着信メロディデータメモリに記憶するとともに、着信の際に受信した発呼者番号と前記複数の電話番号中の第１電話番号とが一致した場合、前記第１電話番号に対応する第１画像データを読み出して表示し及び第１着信メロディを発生させる通信端末装置の着信報知方法において、第２着信メロディデータと一緒に送信されてきた第２画像データを受信して、前記第２画像データを前記画像データメモリに記憶させる制御及び前記画像データメモリに記憶した複数の画像データを用いて着信の際の表示を制御する制御ステップを含み、前記制御ステップは、前記第２着信メロディデータと一緒に前記第２画像データを記憶させるとともに、記憶した前記第２画像データを前記第１電話番号に対して表示選択した後、前記第１電話番号からの着信の際に前記画像データメモリから前記第２画像データを読み出して表示する場合、前記第２着信メロディデータに基づいて着信メロディを発生させることを特徴とする。
【００１２】
　請求項７に係る本発明の着信報知方法は、請求項６に記載の着信報知方法において、前記制御ステップは、前記第２着信メロディデータと一緒に前記第２画像データを記憶させるとともに、記憶した前記第２画像データを前記第１電話番号に対して表示選択した場合、選択されていた前記第１着信メロディを消去することなく前記着信メロディデータメモリに記憶し続ける一方、前記第１電話番号からの着信の際に前記画像データメモリから前記第２画像データを読み出して表示する場合、前記第１着信メロディを発生させることなく、前記第２着信メロディデータに基づいて着信メロディを発生させることを特徴とする。
【００１３】
　請求項８に係る本発明の情報記憶媒体は、通信端末装置に着信報知処理手順を実行させるプログラムを記録した情報記憶媒体であって、前記通信端末装置は、複数の電話番号を電話帳データメモリに記憶し、複数の画像データを画像データメモリに記憶し及び複数の着信メロディデータを着信メロディデータメモリに記憶するとともに、着信の際に受信した発呼者番号と前記複数の電話番号中の第１電話番号とが一致した場合、前記第１電話番号に対応する第１画像データを読み出して表示し及び第１着信メロディを発生させ、前記着信報知処理手順は、第２着信メロディデータと一緒に送信されてきた第２画像データを受信して、前記第２画像データを前記画像データメモリに記憶させる制御及び前記画像データメモリに記憶した複数の画像データを用いて着信の際の表示を制御する制御手順を含み、前記制御手順は、前記第２着信メロディデータと一緒に前記第２画像データを記憶させるとともに、記憶した前記第２画像データを前記第１電話番号に対して表示選択した後、前記第１電話番号からの着信の際に前記画像データメモリから前記第２画像データを読み出して表示する場合、前記第２着信メロディデータに基づいて着信メロディを発生させることを特徴とする。
【００１４】
　請求項９に係る本発明の情報記憶媒体は、請求項８に記載の情報記憶媒体において、前記制御手順は、前記第２着信メロディデータと一緒に前記第２画像データを記憶させるとともに、記憶した前記第２画像データを前記第１電話番号に対して表示選択した場合、選択されていた前記第１着信メロディを消去することなく前記着信メロディデータメモリに記憶し続ける一方、前記第１電話番号からの着信の際に前記画像データメモリから前記第２画像データを読み出して表示する場合、前記第１着信メロディを発生させることなく、前記第２着信メロディデータに基づいて着信メロディを発生させることを特徴とする。
【発明の効果】
【００１５】
　本発明の解決しようとする問題点は、通信端末装置、画像情報表示方法、画像情報記憶方法および情報記憶媒体において、入手した画像データを有効活用することである。
【発明を実施するための最良の形態】
【００１６】
　本発明は、前記制御部は、前記第２着信メロディデータと一緒に前記第２画像データを記憶させるとともに、記憶した前記第２画像データを前記第１電話番号に対して表示選択した後、前記第１電話番号からの着信の際に前記画像データメモリから前記第２画像データを読み出して表示する場合、前記第２着信メロディデータに基づいて着信メロディを発生させることを最も主要な特徴とする。その結果、着信メロディデータと一緒に入手した画像データの有効活用を実現した。
【実施例１】
【００１７】
　以下、本発明の実施の形態を図面と共に詳細に説明する。
　図１は、本発明に係る通信端末装置の構成ブロック図である。
【００１８】
　１は、送受信部であり、受信した電波信号を中間周波数帯に変換したり、中間周波数帯の送信信号を無線周波数帯に変換して送信する。
【００１９】
　２は、モデム部であり、送受信信号を変復調する。
【００２０】
　３は、音声コーデック部であり、音声信号の符号化や復号化を行う。
【００２１】
　４は、アナログフロントエンドであり、符号化された音声信号をディジタル／アナログ変換してレシーバ６を駆動したり、マイク５より入力された音声信号をアナログ／ディジタル変換して音声コーデック３に出力する。
【００２２】
　７は、制御部であり、通話に伴う制御や表示制御など通信端末装置の全ての制御を行う。
【００２３】
　８は、キー入力部であり、所望の操作に必要なデータを入力する。
【００２４】
　９は、表示部であり、カラー液晶表示装置（以下、「カラーＬＣＤ」という）やＥＬ、ＰＤＰなどから成り、発呼者データや画像データを表示する。
【００２５】
　１０は、記憶部であり、発呼や電子メールの送信に使用する電話帳データや画像データ、着信メロディデータを記憶する。
【００２６】
　１１は、メロディ発生部であり、記憶部１０が記憶する着信メロディデータに基づいて、着信メロディを発生する。
【００２７】
　１２は、外部接続端子であり、ＤＳＣ（デジタル・スチル・カメラ）やＤＶＣ（デジタル・ビデオ・カメラ）などの画像データ入力装置１３から画像データが入力され、記憶部１０に記憶される。また、入力された着信メロディデータも記憶することができる。
【００２８】
　つぎに、上述のように構成された本発明に係る通信端末装置の動作について説明する。
【００２９】
　まず、画像データの登録モードにおける動作について、ユーザの操作を交えて説明する。
【００３０】
　通信端末装置のユーザは、自己の写真や相手の写真などの画像データを、従来のデータ通信やインターネットを経由した電子メールの添付ファイルとして受信したり、画像データ入力装置１３から外部接続端子１２を経由して直接入手すると、キー入力部８を操作して画像データの登録モードに移行する。
【００３１】
　図２は、本発明に係る通信端末装置が具備する表示部の模式図である。
【００３２】
　図２（Ａ）は、通信端末装置が上述の通りにして入手した画像データであり、ユーザ自身や友人などの写真である。
【００３３】
　図２（Ｂ）は、画像データ登録モードにおける表示画面を示しており、制御部７は電話番号と名前やニックネームの入力を促す。なお、ユーザは、キー入力部８を操作して直接入力することも可能であるが、発呼の際に電話番号を選択する操作と同じようにして、電話帳データを利用して電話番号と名前やニックネームを呼び出して入力することも可能である。
【００３４】
　また、登録しようとしている電話番号に対応して、既に画像データが登録されている場合には、制御部７はその旨を表示し、新たに画像データを記憶するか否かを確認する。そして、ユーザが記憶する旨の情報を入力すると、制御部７は電話番号と画像データを対応付けて記憶するとともに、旧の画像データを消去するか否かを表示する。その後、ユーザが消去する旨の情報を入力すると、制御部７は旧の画像データを消去するが、一方ユーザが消去しない旨の情報を入力した場合には、電話番号との対応関係を維持しながら旧の画像データを消去せずに記憶し続ける。
【００３５】
　図３は、本発明に係る通信端末装置が具備する記憶部の模式図であり、新たに入手した画像データの登録前後の状態を示している。
【００３６】
　図３（Ａ）は、画像データの登録前の状態であり、電話／電子メールメモリのメモリ番号１には、電話番号が０９０−８７６５−４３２１、名前が山田花子、Ｅ−ＭＡＩＬアドレスがｈａｎａ＠ｘｘｘ．ｃｏｍが登録されている。また、画像データメモリには、メモリ番号１に対応して、画像データ１が登録され、表示フラグがＯＮとなっている。
【００３７】
　更に、メモリ番号２には、電話番号が０９０−７６５４−３２１０、名前が山本太郎、Ｅ−ＭＡＩＬアドレスがｔａｒｏ＠ｙｙｙ．ｃｏｍが登録されている。また、画像データメモリには、メモリ番号２に対応して、画像データ２が登録され、表示フラグがＯＮとなっている。そして、メモリ番号３には、電話番号が０９０−６５４３−２１０９、名前が山下次郎が登録されているが、画像データメモリには、メモリ番号３に対応する画像データが登録されていない。
【００３８】
　この図３（Ａ）の状態で、通信端末装置のユーザが、入手した画像データを、電話帳データを利用してメモリ番号１の電話番号と名前を呼び出して入力したのが図３（Ｂ）である。この場合、登録しようとしている電話番号に対応して、既に画像データ１が登録されているので、制御部７はその旨を表示し、新たに画像データ３を記憶するか否かを確認する。そして、ユーザが記憶する旨の情報を入力すると、制御部７は表示フラグをＯＮにして電話番号（即ち、メモリ番号１）と画像データ３を対応付けて記憶するとともに、旧の画像データである画像データ１を消去するか否かを表示する。その後、ユーザが消去しない旨の情報を入力した場合には、電話番号（即ち、メモリ番号１）との対応関係を維持しながら旧の画像データを消去せずに記憶し続け、表示フラグをＯＦＦにする。なお、図３には表示していないが、画像データと一緒に送信されてきた着信メロディデータを画像データメモリと同様の形式で着信メロディデータメモリに記憶しており、着信の際、表示する画像データに対応付けられた着信メロディを流すことも可能である。また、この画像データが動画像であれば、表示された人物が着信メロディに合わせて歌っている様にみせることが可能である。
【００３９】
　つぎに、本発明に係る通信端末装置が、図３に示す記憶状態において、山田花子（即ち、電話番号が０９０−８７６５−４３２１）から呼び出しがあった場合の動作を説明する。なお、通信を開始するために必要とする呼び出しやリンク確立動作は、従来技術と全く同様であり、それ以上に本発明とは直接関係しないので、その動作説明を省略する。
【００４０】
　図４は、本発明に係る通信端末装置が具備する表示部の模式図である。
【００４１】
　制御部７は、着信の際に送信されてくる発呼者番号を検出すると、電話／電子メールメモリを検索し、発呼者番号と同じ電話番号が登録されているか否かを判断する。制御部７は、登録されていないと判断すると、受信した発呼者番号を表示する（例えば、図４（Ａ）に示す０９０−５４３２−１０９８）が、登録されていると判断すると、画像データメモリに対応する画像データが登録されているか否かを判断する。この場合、メモリ番号１に対応して画像データ１および画像データ３が登録されているが、制御部７は表示フラグがＯＮとなっている画像データ３を選択し、受信した発呼者番号に替えて画像データ３を表示部９に表示する（図４（Ｂ）参照）。なお、制御部７は、画像データが登録されていないと判断すると、電話／電子メールメモリを検索し、登録されている名前（例えば、発呼者番号が０９０−６５４３−２１０９の場合には、図４（Ｃ）に示す山下次郎）を表示する。
【００４２】
　図５は、本発明に係る通信端末装置が具備する表示部の模式図であり、着信時の表示パターンのバリエーションを示している。
【００４３】
　本発明に係る通信端末装置が、図３（Ｂ）に示す記憶状態において、山田花子（即ち、電話番号が０９０−８７６５−４３２１）から呼び出しがあった場合、制御部７は電話／電子メールメモリと画像データメモリを検索し、画像データ３および電話番号を表示（図５（Ａ）参照）、画像データ３および名前を表示（図５（Ｂ）参照）または画像データ３、名前および電話番号を同時に表示（図５（Ｃ）参照）する。なお、この表示に際して、制御部７は対応する着信メロディを鳴らすことも可能である。
【００４４】
　図６は、本発明に係る通信端末装置が具備する表示部の模式図であり、着信時の表示パターンのバリエーションを示している。
【００４５】
　本発明に係る通信端末装置が、図３（Ｂ）に示す記憶状態において、山田花子（即ち、電話番号が０９０−８７６５−４３２１）から呼び出しがあった場合、制御部７は電話／電子メールメモリと画像データメモリを検索し、画像データ３（図６（Ｂ）参照）と交互に電話番号（図６（Ａ）参照）または名前（図６（Ｃ）参照）を表示する。なお、この表示に際して、制御部７は対応する着信メロディを鳴らすことも可能である。
【００４６】
　つぎに、紹介モードにおける動作について、ユーザの操作を交えて説明する。
【００４７】
　この紹介モードとは、知人の通信端末装置に自己の通信端末装置に登録している紹介すべき友人の情報を送信し、自動的に登録するモードのことをいう。
【００４８】
　図７は、本発明に係る通信端末装置が具備する表示部の模式図であり、紹介モードにおける表示状態の遷移を示している。
【００４９】
　まず、通信端末装置のユーザがキー入力部８の紹介モードキーを操作すると、制御部７は紹介モードに移行し、紹介先の入力を促す。次に、通信端末装置のユーザが、発呼の際に電話番号を選択する操作と同じようにして、例えば知人である山下次郎を呼び出す（図７（Ａ）参照）。
【００５０】
　そして、紹介先の確定操作が行われると、制御部７は紹介すべき友人の選択を促す。次に、通信端末装置のユーザが、発呼の際に電話番号を選択する操作と同じようにして、例えば友人である山田花子を電話番号とともに呼び出した後（図７（Ｂ）参照）、確定操作を行うと、制御部７は表示フラグがＯＮになっている画像データ３を送信すべき画像データと判断して表示する（図７（Ｃ）参照）。なお、この場合、画像データ１も山田花子の電話番号に関連付けて記憶されているので、キー入力部８の選択キーを操作することにより、画像データ１を表示させることも可能である。また、紹介すべき友人に替えて自局の電話番号（例えば、０９０−１１１１−１１１１）と名称（例えば、山本三郎）および画像データを選択すれば、自己紹介とすることができる。
【００５１】
　制御部７は、通信端末装置のユーザが図７（Ｃ）の状態で送信操作を行うと、所定の通信手順に従って、山田花子の電話番号、名称および画像データ３を、従来のデータ通信やインターネットを経由した電子メールの添付ファイルとして山下次郎の通信端末装置に送信する。
【００５２】
　図８は、本発明に係る通信端末装置が具備する表示部の模式図であり、紹介モードによって電話番号、名称および画像データが送信されてきた場合の表示状態の遷移を示している。
【００５３】
　まず、通信端末装置の制御部７は、インターネットの電子メールサーバから、紹介モードで電子メールが送信されてきた旨の連絡を受けると、紹介モードの着信があったことを紹介者である山本三郎の名前と電話番号とともに表示する（図８（Ａ）参照）。
【００５４】
　そして、ユーザがキー入力部８の受信キーを操作すると、制御部７はインターネットの電子メールサーバにアクセスし、添付ファイルとして送信されてきた電話番号、名称および画像データを入手して表示する（図８（Ｂ）参照）。
【００５５】
　その後、ユーザがキー入力部８の登録キーを操作すると、制御部７はそれらの情報を自動的に電話／電子メールメモリおよび画像データメモリに登録し、その旨を表示する（図８（Ｃ）参照）。なお、紹介モードでの登録動作と図２および図３で説明した通常の画像データ登録動作とは基本的に同じであり、制御部７は必要に応じて確認動作を行う。また、このようにして登録された後、山下次郎の通信端末装置に山田花子から着信があると、画像データ３を呼び出して山田花子の写真を表示することが可能となる。
【００５６】
　また、上述した通信端末装置の各動作を時系列的に処理するステップまたは工程とすることにより、本発明に係る画像情報表示方法とすることができる。
【００５７】
　更に、上述した通信端末装置が具備する制御部が行う各動作の処理手順を規定するプログラムを情報記録媒体（例えば、半導体メモリー、ＬＤ（レーザーディスク）、ＨＤ（ハードディスク）、ＦＤ（フレキシブルディスク）、ＭＤ（ミニディスク）、ＣＤ（コンパクトディスク）又はＤＶＤ（デジタルビデオディスク）など）に記憶させ、その処理手順（例えば、アプリケーションプログラム）を各種の情報処理装置にインストールすることにより、同様の動作を行わせることができる。
【産業上の利用可能性】
【００５８】
　以上説明した様に、本発明に係る通信端末装置、画像情報表示方法および情報記憶媒体によれば、自己の写真や相手の写真などの画像データを、データ通信やインターネットを経由した電子メールの添付ファイルとして受信したり、画像データ入力装置から直接入手して記憶し、着信の際に通知される発呼者番号に対応する画像データを読み出して表示するので、一目で誰から呼び出されているかが分かる。
【００５９】
　また、記憶する電話帳データとともに、対応する画像データを送信し、自動的に相手の通信端末装置に登録することができるので、自分の友人の紹介を容易に行うことが可能となる。
【図面の簡単な説明】
【００６０】
【図１】本発明に係る通信端末装置の構成ブロック図である。
【図２】本発明に係る通信端末装置が具備する表示部の模式図である。
【図３】本発明に係る通信端末装置が具備する記憶部の模式図である。
【図４】本発明に係る通信端末装置が具備する表示部の模式図である。
【図５】本発明に係る通信端末装置が具備する表示部の模式図である。
【図６】本発明に係る通信端末装置が具備する表示部の模式図である。
【図７】本発明に係る通信端末装置が具備する表示部の模式図である。
【図８】本発明に係る通信端末装置が具備する表示部の模式図である。
【符号の説明】
【００６１】
１　　　　送受信部
２　　　　モデム部
３　　　　音声コーデック部
４　　　　アナログフロントエンド
７　　　　制御部
８　　　　キー入力部
９　　　　表示部
１０　　　記憶部
１１　　　メロディ発生部
１２　　　外部接続端子
【図１】
2004015815.tif 000003
【図２】
2004015815.tif 000004
【図３】
2004015815.tif 000005
【図４】
2004015815.tif 000006
【図５】
2004015815.tif 000007
【図６】
2004015815.tif 000008
【図７】
2004015815.tif 000009
【図８】
2004015815.tif 000010
【手続補正書】
【提出日】平成15年10月14日(2003.10.14)
【手続補正１】
【補正対象書類名】特許請求の範囲
【補正対象項目名】全文
【補正方法】変更
【補正の内容】
【特許請求の範囲】
【請求項１】
複数の電話番号を電話帳データメモリに記憶し、複数の画像データを画像データメモリに記憶し及び複数の着信メロディデータを着信メロディデータメモリに記憶するとともに、着信の際に受信した発呼者番号と前記複数の電話番号中の第１電話番号とが一致した場合、前記第１電話番号に対応する第１画像データを読み出して表示し及び第１着信メロディを発生させる通信端末装置において、
第２着信メロディデータと一緒に送信されてきた第２画像データを受信して記憶する制御及び記憶した前記第２着信メロディデータと前記第２画像データを用いて着信の際の表示と着信メロディの発生を制御する制御部を具備し、
前記制御部は、前記第１画像データから前記第２画像データを前記第１電話番号に対して表示選択した後、前記第１電話番号から呼び出しを受けた場合、記憶した前記第２画像データを読み出して表示し、前記第２着信メロディデータに基づいて着信メロディを発生させること、
を特徴とする通信端末装置。
【請求項２】
請求項１に記載の通信端末装置において、
前記制御部は、前記第１電話番号からの着信の際に前記画像データメモリから前記第２画像データを読み出して表示する場合、前記第２画像データと同時に下記（１）乃至（３）のいずれかを表示すること、
を特徴とする通信端末装置。
（１）着信の際に受信した発呼者番号に対応する電話番号、
（２）着信の際に受信した発呼者番号に対応する名前、
（３）着信の際に受信した発呼者番号に対応する電話番号および名前
【請求項３】
請求項１に記載の通信端末装置において、
前記制御部は、前記第１電話番号からの着信の際に前記画像データメモリから前記第２画像データを読み出して表示する場合、前記第２画像データと交互に下記（１）または（２）のいずれかを表示すること、
を特徴とする通信端末装置。
（１）着信の際に受信した発呼者番号に対応する電話番号、
（２）着信の際に受信した発呼者番号に対応する名前
【請求項４】
複数の電話番号を電話帳データメモリに記憶し、複数の画像データを画像データメモリに記憶し及び複数の着信メロディデータを着信メロディデータメモリに記憶するとともに、着信の際に受信した発呼者番号と前記複数の電話番号中の第１電話番号とが一致した場合、前記第１電話番号に対応する第１画像データを読み出して表示し及び第１着信メロディを発生させる通信端末装置の着信報知方法において、
第２着信メロディデータと一緒に送信されてきた第２画像データを受信して記憶する制御及び記憶した前記第２着信メロディデータと前記第２画像データを用いて着信の際の表示と着信メロディの発生を制御する制御ステップを含み、
前記制御ステップは、前記第１画像データから前記第２画像データを前記第１電話番号に対して表示選択した後、前記第１電話番号から呼び出しを受けた場合、記憶した前記第２画像データを読み出して表示し、前記第２着信メロディデータに基づいて着信メロディを発生させること、
を特徴とする着信報知方法。
【請求項５】
通信端末装置に着信報知処理手順を実行させるプログラムを記録した情報記憶媒体であって、
前記通信端末装置は、複数の電話番号を電話帳データメモリに記憶し、複数の画像データを画像データメモリに記憶し及び複数の着信メロディデータを着信メロディデータメモリに記憶するとともに、着信の際に受信した発呼者番号と前記複数の電話番号中の第１電話番号とが一致した場合、前記第１電話番号に対応する第１画像データを読み出して表示し及び第１着信メロディを発生させ、
前記着信報知処理手順は、
第２着信メロディデータと一緒に送信されてきた第２画像データを受信して記憶する制御及び記憶した前記第２着信メロディデータと前記第２画像データを用いて着信の際の表示と着信メロディの発生を制御する制御手順を含み、
前記制御手順は、前記第１画像データから前記第２画像データを前記第１電話番号に対して表示選択した後、前記第１電話番号から呼び出しを受けた場合、記憶した前記第２画像データを読み出して表示し、前記第２着信メロディデータに基づいて着信メロディを発生させること、
を特徴とする情報記憶媒体。
【手続補正２】
【補正対象書類名】明細書
【補正対象項目名】０００８
【補正方法】変更
【補正の内容】
【０００８】
　請求項１に係る本発明の通信端末装置は、上記の目的を達成するために、複数の電話番号を電話帳データメモリに記憶し、複数の画像データを画像データメモリに記憶し及び複数の着信メロディデータを着信メロディデータメモリに記憶するとともに、着信の際に受信した発呼者番号と前記複数の電話番号中の第１電話番号とが一致した場合、前記第１電話番号に対応する第１画像データを読み出して表示し及び第１着信メロディを発生させる通信端末装置において、第２着信メロディデータと一緒に送信されてきた第２画像データを受信して記憶する制御及び記憶した前記第２着信メロディデータと前記第２画像データを用いて着信の際の表示と着信メロディの発生を制御する制御部を具備し、前記制御部は、前記第１画像データから前記第２画像データを前記第１電話番号に対して表示選択した後、前記第１電話番号から呼び出しを受けた場合、記憶した前記第２画像データを読み出して表示し、前記第２着信メロディデータに基づいて着信メロディを発生させることを特徴とする。
【手続補正３】
【補正対象書類名】明細書
【補正対象項目名】０００９
【補正方法】変更
【補正の内容】
【０００９】
　請求項２に係る本発明の通信端末装置は、前記制御部は、前記第１電話番号からの着信の際に前記画像データメモリから前記第２画像データを読み出して表示する場合、前記第２画像データと同時に下記（１）乃至（３）のいずれかを表示することを特徴とする。
（１）着信の際に受信した発呼者番号に対応する電話番号、
（２）着信の際に受信した発呼者番号に対応する名前、
（３）着信の際に受信した発呼者番号に対応する電話番号および名前。
【手続補正４】
【補正対象書類名】明細書
【補正対象項目名】００１０
【補正方法】変更
【補正の内容】
【００１０】
　請求項３に係る本発明の通信端末装置は、請求項１に記載の通信端末装置において、
前記制御部は、前記第１電話番号からの着信の際に前記画像データメモリから前記第２画像データを読み出して表示する場合、前記第２画像データと交互に下記（１）または（２）のいずれかを表示することを特徴とする。
（１）着信の際に受信した発呼者番号に対応する電話番号、
（２）着信の際に受信した発呼者番号に対応する名前
【手続補正５】
【補正対象書類名】明細書
【補正対象項目名】００１１
【補正方法】変更
【補正の内容】
【００１１】
　請求項４に係る本発明の着信報知方法は、複数の電話番号を電話帳データメモリに記憶し、複数の画像データを画像データメモリに記憶し及び複数の着信メロディデータを着信メロディデータメモリに記憶するとともに、着信の際に受信した発呼者番号と前記複数の電話番号中の第１電話番号とが一致した場合、前記第１電話番号に対応する第１画像データを読み出して表示し及び第１着信メロディを発生させる通信端末装置の着信報知方法において、第２着信メロディデータと一緒に送信されてきた第２画像データを受信して記憶する制御及び記憶した前記第２着信メロディデータと前記第２画像データを用いて着信の際の表示と着信メロディの発生を制御する制御ステップを含み、前記制御ステップは、前記第１画像データから前記第２画像データを前記第１電話番号に対して表示選択した後、前記第１電話番号から呼び出しを受けた場合、記憶した前記第２画像データを読み出して表示し、前記第２着信メロディデータに基づいて着信メロディを発生させることを特徴とする。
【手続補正６】
【補正対象書類名】明細書
【補正対象項目名】００１２
【補正方法】変更
【補正の内容】
【００１２】
　請求項５に係る本発明の情報記憶媒体は、通信端末装置に着信報知処理手順を実行させるプログラムを記録した情報記憶媒体であって、前記通信端末装置は、複数の電話番号を電話帳データメモリに記憶し、複数の画像データを画像データメモリに記憶し及び複数の着信メロディデータを着信メロディデータメモリに記憶するとともに、着信の際に受信した発呼者番号と前記複数の電話番号中の第１電話番号とが一致した場合、前記第１電話番号に対応する第１画像データを読み出して表示し及び第１着信メロディを発生させ、前記着信報知処理手順は、第２着信メロディデータと一緒に送信されてきた第２画像データを受信して記憶する制御及び記憶した前記第２着信メロディデータと前記第２画像データを用いて着信の際の表示と着信メロディの発生を制御する制御手順を含み、前記制御手順は、前記第１画像データから前記第２画像データを前記第１電話番号に対して表示選択した後、前記第１電話番号から呼び出しを受けた場合、記憶した前記第２画像データを読み出して表示し、前記第２着信メロディデータに基づいて着信メロディを発生させることを特徴とする。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】